【事件の表示】
　特願２００６−５３８４４２「マルチデバイスコントロール用ユーザインタフェース」拒絶査定不服審判事件〔平成１７年　５月１２日国際公開、ＷＯ２００５／０４３９３５、平成１９年　４月２６日国内公表、特表２００７−５１０９９０〕について、次のとおり審決する。
【結　論】
　本件審判の請求は、成り立たない。
【理　由】
１．手続の経緯
　本願は、２００４年１１月３日を国際出願日とする出願（パリ条約による優先権主張外国庁受理２００３年１１月３日、米国、２００４年２月２３日、米国）であって、平成２３年２月７日付けで拒絶査定がなされ（発送日：同月９日）、これに対して同年５月１３日に審判の請求がなされ、同時に手続補正がなされ、平成２４年１１月１４日付けの当審拒絶理由通知に対して，平成２５年５月１５日に意見書及び手続補正書が提出されたものである。
　
　
２．本願発明
　本願の請求項１に係る発明（以下、「本願発明」という。）は、平成２５年５月１５日付け手続補正書の特許請求の範囲に記載された次のとおりのものである。
　
「コンピュータに、グラフィカルユーザインターフェースを表示させ、制御された環境内における複数のシステムコンポーネントを管理させるためのコンピュータのメモリデバイスに格納されたプログラムであって、該コンピュータは、該メモリデバイスと、プロセッサと、ディスプレイとを含み、該コンピュータは、ネットワークによって、該複数のシステムコンポーネントに接続されており、
　該グラフィカルユーザインターフェースは、
　制御オブジェクトの第１のセットであって、該制御オブジェクトは、該メモリデバイス内に格納されたデータオブジェクトであり、該制御オブジェクトの第１のセットのそれぞれの制御オブジェクトは、該制御された環境内における複数のシステムコンポーネントのうちの一つ以上のシステムコンポーネントに対する制御オプションを含み、該ディスプレイ上に表示されたアイコンの第１のセットにおけるそれぞれのアイコンにより表され、該制御オブジェクトの第１のセットのうちの第１の制御オブジェクトは、共通属性を有するシステムコンポーネントのグループに基づいて、該複数のシステムコンポーネントのうちの１つよりも多くのシステムコンポーネントを含むシステムコンポーネントのグループの制御を統合するように実行可能である制御オプションを含み、該複数のシステムコンポーネントのそれぞれのシステムコンポーネントは、少なくとも１つの出力動作または機能を実行可能な出力コンポーネントを含む、制御オブジェクトの第１のセットと、
　該グラフィカルユーザインターフェースのコンポーネント制御部分であって、該コンポーネント制御部分は、ユーザが一つ以上の制御オブジェクトを表す一つ以上のアイコンを該ディスプレイ上で強調したことに応答して、起動された該制御オブジェクトの第１のセットからの一つ以上の制御オブジェクトに対する制御オプションを表すアイコンを表示するための該ディスプレイの部分に関連付けられており、該一つ以上の制御オブジェクトの起動は、該ディスプレイに、起動信号をプロセッサへと送信させ、該プロセッサは、該メモリデバイスから少なくとも１つのシステムコンポーネントに対する該制御オプションを引き出すことにより、該起動信号を受信することに応答して該少なくとも１つのシステムコンポーネントを選択し、該プロセッサは、該ディスプレイに、該グラフィカルユーザインターフェースの該コンポーネント制御部分に関連付けられた該ディスプレイの該部分内に該引き出された制御オプションを表すアイコンを表示させ、該引き出された制御オプションのそれぞれの制御オプションが、該ディスプレイへの該ユーザからの入力に応答して該プロセッサによって実行可能な一連のコマンドを含み、該一連のコマンドのそれぞれのコマンドは、該プロセッサによって実行されたときに、該プロセッサに、それぞれの選択されたシステムコンポーネントの該出力コンポーネントの該少なくとも１つの出力動作または機能を制御するための命令を該少なくとも１つの選択されたシステムコンポーネントへと送信させる、コンポーネント制御部分と
　を備える、プログラム。」
　
　
３．引用例について
　当審の拒絶の理由に引用された、本願優先日前に公開された、特開２００３−２９８９５号公報（以下、「引用例」という。）には、図面とともに以下の記載がある（下線は当審において付与。）。 
 　　 
（１）　段落【００１４】
「【００１４】ビデオ本体１０２は、第２のメニュー格納部１２１と、メニュー送信部１２３と、ビデオ側信号受信部１２４と、ビデオ動作部１２５とを有する。リモコン装置１２６によりテレビ本体１０１およびビデオ本体１０２の動作を制御するようになっている。第１のメニュー格納部１１１は、テレビ本体１０１の動作を制御する制御情報とこの制御情報の表示画面の変更をする情報とからなる図２、図３に示すようなメニュー情報を格納する。図２には、最上位のタグ（〈  〉で囲まれたもの）のメニューの値としてテレビが定義され、
メニュー「テレビ」は、「基本操作」、「子画面」及び「調整」の３つのサブメニューをも
例えば基本操作パネルは、チャンネルアップボタンなどの６種のボタンから構成されて
　
（２）　段落【００３２】−【００３９】（実施の形態２）
「【００３２】（実施の形態２）図１９は、本発明に係るメニュー情報合成装置であるリモコン装置の実施の形態２の構成図である。この
リモコン装置は、メニュー情報送信催促部１９０１と、メニュー受信部１９０２とメニュー合成部１９０３とメニュー表示部１９０４と、機器制御信号送信部１９０５とを備え
【００３３】
メニュー情報送信催促部１９０１は、リモコン装置を外部機器、例えば、テレビ、ビデオ、エアコンディショナー等に向けることによってメニュー情報の送信を促す信号を赤外線等を用いて送信
外部機器
は、この信号を受信すると、リモコン装置に対してメニュー情報を送信
【００３４】
メニュー受信部１９０２は、これらの外部機器から送信されたメニュー情報を受信すると、メニュー合成部１９０３に該情報を通知
メニュー合成部１９０３は
メニュー受信部１９０２から複数の外部機器からのメニュー情報の通知を受け取ると、記憶している合成ルールに基づいて、メニュー情報を合成
合成したメニュー情報は、ビットマップデータに変換してメニュー表示部１９０４に通知
【００３５】
メニュー表示部１９０４は、液晶パネル上にタッチパネルが重ねられてなり、メニュー合成部１９０３から通知されたメニュー情報を
最上位メニュー２４０１として示すように表示
ユーザが最上位メニューのうち「テレビ」を選択するとテレビの基本操作パネル２４０２を表示し
「ビデオ」を選択するとビデオの再生パネル２４０３を表示し
「エアコン」を選択すると設定パネル２４０４を表示
設定パネル２４０４が表示された状態でユーザが「電源」ボタン２４０５を押すと、機器制御信号送信部１９０５にエアコンディショナーの電源の操作信号を通知
【００３６】
機器制御信号送信部１９０５は、メニュー表示部１９０４から操作信号の通知を受け取ると、外部機器へ機器制御信号を送信
エアコンディショナーの電源の操作信号の通知を受けたときには、エアコンディショナーに電源の制御信号を送信
これによって、エアコンディショナーの電源は、ＯＦＦからＯＮまたはＯＮからＯＦＦへと切り替えられ
【００３７】次に、本実施の形態の
動作について
メニュー情報送信催促部１９０１が外部機器に対してメニュー情報の送信を促
（Ｓ２５０２）
１つ以上の外部機器がメニュー情報送信催促部１９０１から送信されたメニュー情報の送信を促す信号を受け取
（Ｓ２５０４）
メニュー情報の送信を促す信号を受け取った外部機器がメニュー情報を送信
（Ｓ２５０６）
メニュー受信部１９０２は１つ以上の外部機器が送信したメニュー情報を受信
（Ｓ２５０８）
メニュー合成部１９０３はメニュー受信部１９０２で受け取った１つ以上のメニュー情報を合成
（Ｓ２５１０）
メニュー表示部１９０４はメニュー合成部１９０３で合成したメニュー情報を表示
（Ｓ２５１２）
【００３８】
なお、
リモコン装置と同一室内にある（リモコン装置により制御可能な）機器がメニュー情報送信催促部の信号を受信するようしてもよ
【００３９】以上のように本実施の形態によれば、
複数の機器のメニューを動的に統合でき、複数の機器を同一のユーザインターフェースで制御するリモコン装置を提供することができ
また、
制御可能な機器の名前が最上位メニューとしてリモコン装置のメニュー表示部１９０４に表示されているが、
リモコン装置が各機器の設置位置を検出して
ような図柄（機器が設置されている室内の機器レイアウトを仮想的に示す図柄）を最上位メニューとしてリモコンのメニュー表示部１９０４に表示してもよい
　
（３）　段落【００４２】
「【００４２】メニュー情報は、メニュー構成データと表示要素データと合成指示データとからなる。テレビメニュー構成データ記憶要素２８１１は、メニュー画面の構成を指示するデータである図２９〜図３３に示すメニュー構成データを記憶している。
テレビ表示要素データ記憶要素２８１２は、メニュー画面を構成するボタンやパネルなどのオブジェクト（以下、「メニュー部品」という）の形状データである表示要素データを記憶している
表示要素データは、その表示画面での表示例を図３４に示すように、メニュー部品の選択状態によって異なる形状データを有する。例えば、ボタン形状Ａ３４０１はボタンが選択された状態を示すものであり、ボタン形状Ｂ３４０２はボタンが選択されていない状態を示すものである
　
（４）　図２４
　図２４には、
最上位メニュー２４０１に、「テレビ」、「ビデオ」、「エアコン」のボタンが含まれ
テレビの基本操作パネル２４０２には、「ミュート」ボタン、「電源」ボタンが含まれ
ビデオの再生パネル２４０３に、「電源」ボタン、「巻戻し」ボタン、「早送り」ボタン、「停止」ボタン、「再生」ボタンが含まれ
エアコンの設定パネル２４０４に、「温度設定」ボタン、「運転設定」ボタン、「電源」ボタン２４０５が含まれ
　
（５）　図２６
　実施の形態２の他の実施例に係る図２６には、最上位メニューとして、
室内の右下に「ＴＶ」と「ＶＴＲ」が設置され、室内の左上にエアコンが設置されているような図柄
　
（６）　図３４
　図３４には、右上に「ボタン形状Ａ」、左上に「ボタン形状Ｂ」が記載されており、ボタン内部が白抜きの「ボタン形状Ｂ」と比べて、ボタン内部の網掛けによって、「ボタン形状Ａ」は、強調されていると認定できる。
　
　よって、引用例には、以下の発明（以下、「引用発明」という。）が開示されていると認められる。 
　
「リモコン装置は、メニュー情報送信催促部１９０１と、メニュー受信部１９０２とメニュー合成部１９０３とメニュー表示部１９０４と、機器制御信号送信部１９０５とを備え、
　メニュー情報送信催促部１９０１は、リモコン装置を外部機器、例えば、テレビ、ビデオ、エアコンディショナー等に向けることによってメニュー情報の送信を促す信号を赤外線等を用いて送信し、
　外部機器は、この信号を受信すると、リモコン装置に対してメニュー情報を送信し、
　メニュー受信部１９０２は、これらの外部機器から送信されたメニュー情報を受信すると、メニュー合成部１９０３に該情報を通知し、
　メニュー合成部１９０３は、メニュー受信部１９０２から複数の外部機器からのメニュー情報の通知を受け取ると、記憶している合成ルールに基づいて、メニュー情報を合成し、合成したメニュー情報は、ビットマップデータに変換してメニュー表示部１９０４に通知し、
　メニュー表示部１９０４は、液晶パネル上にタッチパネルが重ねられてなり、メニュー合成部１９０３から通知されたメニュー情報を、最上位メニュー２４０１として示すように表示し、最上位メニュー２４０１に、「テレビ」、「ビデオ」、「エアコン」のボタンが含まれ、
　ユーザが最上位メニューのうち「テレビ」を選択するとテレビの基本操作パネル２４０２を表示し、メニュー「テレビ」は、「基本操作」、「子画面」及び「調整」の３つのサブメニューをもち、テレビの基本操作パネル２４０２には、「ミュート」ボタン、「電源」ボタンが含まれ、
　「ビデオ」を選択するとビデオの再生パネル２４０３を表示し、ビデオの再生パネル２４０３に、「電源」ボタン、「巻戻し」ボタン、「早送り」ボタン、「停止」ボタン、「再生」ボタンが含まれ、
　「エアコン」を選択すると設定パネル２４０４を表示し、エアコンの設定パネル２４０４に、「温度設定」ボタン、「運転設定」ボタン、「電源」ボタン２４０５が含まれ、
　設定パネル２４０４が表示された状態でユーザが「電源」ボタン２４０５を押すと、機器制御信号送信部１９０５にエアコンディショナーの電源の操作信号を通知し、
　機器制御信号送信部１９０５は、メニュー表示部１９０４から操作信号の通知を受け取ると、外部機器へ機器制御信号を送信し、エアコンディショナーの電源の操作信号の通知を受けたときには、エアコンディショナーに電源の制御信号を送信し、これによって、エアコンディショナーの電源は、ＯＦＦからＯＮまたはＯＮからＯＦＦへと切り替えられ、
　動作について、
　メニュー情報送信催促部１９０１が外部機器に対してメニュー情報の送信を促し（Ｓ２５０２）、
　１つ以上の外部機器がメニュー情報送信催促部１９０１から送信されたメニュー情報の送信を促す信号を受け取り（Ｓ２５０４）、
　メニュー情報の送信を促す信号を受け取った外部機器がメニュー情報を送信し（Ｓ２５０６）、
　メニュー受信部１９０２は１つ以上の外部機器が送信したメニュー情報を受信し（Ｓ２５０８）、
　メニュー合成部１９０３はメニュー受信部１９０２で受け取った１つ以上のメニュー情報を合成し（Ｓ２５１０）、
　メニュー表示部１９０４はメニュー合成部１９０３で合成したメニュー情報を表示し（Ｓ２５１２）、
　なお、リモコン装置と同一室内にある（リモコン装置により制御可能な）機器がメニュー情報送信催促部の信号を受信するようしてもよく、
　複数の機器のメニューを動的に統合でき、複数の機器を同一のユーザインターフェースで制御するリモコン装置を提供することができ、
　また、制御可能な機器の名前が最上位メニューとしてリモコン装置のメニュー表示部１９０４に表示されているが、リモコン装置が各機器の設置位置を検出して、室内の右下に「ＴＶ」と「ＶＴＲ」が設置され、室内の左上にエアコンが設置されているような図柄（機器が設置されている室内の機器レイアウトを仮想的に示す図柄）を最上位メニューとしてリモコンのメニュー表示部１９０４に表示してもよい、
　リモコン装置。」
　
　
４．対比
　本願発明と引用発明とを対比する。
　
（１）　本願発明の「コンピュータ」に関して
　
（ア）　引用発明の「リモコン装置」は、本願発明の「コンピュータ」と、「制御装置」である点で共通するといえる。
　引用発明の「リモコン装置」が備える「メニュー情報送信催促部１９０１と、メニュー受信部１９０２とメニュー合成部１９０３とメニュー表示部１９０４と、機器制御信号送信部１９０５」の全体は、本願発明の「コンピュータのメモリデバイスに格納されたプログラム」と、「制御装置の制御手段」である点で共通するといえる。
　
（イ）　引用発明の「最上位メニュー２４０１」、及び「テレビの基本操作パネル２４０２」、「ビデオの再生パネル２４０３」、「エアコンの設定パネル２４０４」を含む「メニュー表示」の全体は、本願発明の「グラフィカルユーザインターフェース」に相当する。
　引用発明の「メニュー表示部１９０４」は、「メニュー表示を表示し（Ｓ２５１２）」ているから、本願発明の「グラフィカルユーザインターフェースを表示させ」る機能に相当する。
　
（ウ）　引用発明のリモコン装置により制御される「機器が設置されている室内」は、本願発明の「制御された環境内」に相当する。
　引用発明の「外部機器、例えば、テレビ、ビデオ、エアコンディショナー等」は、本願発明の「複数のシステムコンポーネント」に相当する。
　引用発明の「機器制御信号送信部１９０５」は、「外部機器へ機器制御信号を送信し」ているから、本願発明の「制御された環境内における複数のシステムコンポーネントを管理させる」機能に相当する。
　
（エ）　引用発明の「メニュー表示部１９０４」における「液晶パネル」は、本願発明の「ディスプレイ」に相当する。
　
（オ）　引用発明のリモコン装置は、「複数の外部機器からのメニュー情報の通知を受け取る」と共に、「外部機器へ機器制御信号を送信し」ているので、外部機器と相互に「接続」されていると認められるから、本願発明の「該
コンピュータ
ネットワークによって、
　
（カ）　（１）のまとめ
　上記（１）（ア）〜（オ）から、引用発明の「リモコン装置」が、「最上位メニュー２４０１」、及び、「テレビの基本操作パネル２４０２」、「ビデオの再生パネル２４０３」、「エアコンの設定パネル２４０４」を含む「メニュー表示」を表示させる「メニュー表示部１９０４」、及び、「外部機器、例えば、テレビ、ビデオ、エアコンディショナー等」である「外部機器へ機器制御信号を送信」する「機器制御信号送信部１９０５」を含む、「メニュー情報送信催促部１９０１と、メニュー受信部１９０２とメニュー合成部１９０３とメニュー表示部１９０４と、機器制御信号送信部１９０５」との構成を含むことは、本願発明の「コンピュータに、グラフィカルユーザインターフェースを表示させ、制御された環境内における複数のシステムコンポーネントを管理させるための
コンピュータのメモリデバイスに格納されたプログラム
コンピュータ
該メモリデバイスと、プロセッサと、
ネットワークによって、
「
制御装置
制御装置の制御手段
制御装置
、デ
制御装置
、該
　
（２）　本願発明の「制御オブジェクトの第１のセット」に関して
　
（ア）　引用発明の「制御可能な機器の名前が最上位メニューとしてリモコン装置のメニュー表示部１９０４に表示されている」、「最上位メニュー２４０１」に含まれる、「テレビ」、「ビデオ」、「エアコン」のボタンは、本願発明の「制御オブジェクト」に対応する。
　
（イ）　引用発明の「メニュー表示」のうち、「テレビ」、「ビデオ」、「エアコン」のボタンを含む「最上位メニュー２４０１」は、本願発明の「制御オブジェクトの第１のセット」に対応する。
　
（ウ）　引用発明において、サブメニューに表示される、例えば、「テレビ」の基本操作パネル２４０２における「ミュート」ボタン、「電源」ボタンは、本願発明の「該制御された環境内における複数のシステムコンポーネントのうちの一つ以上のシステムコンポーネントに対する制御オプション」に相当する。
　よって、引用発明の「最上位メニュー２４０１」において、「ユーザが最上位メニューのうち「テレビ」を選択するとテレビの基本操作パネル２４０２を表示し、
テレビの基本操作パネル２４０２には、「ミュート」ボタン、「電源」ボタンが含まれ
ビデオの再生パネル２４０３に、「電源」ボタン、「巻戻し」ボタン、「早送り」ボタン、「停止」ボタン、「再生」ボタンが含まれ
エアコンの設定パネル２４０４に、「温度設定」ボタン、「運転設定」ボタン、「電源」ボタン２４０５が含まれ
　
（エ）　引用発明の「最上位メニュー２４０１」が、「テレビ」、「ビデオ」、「エアコン」という「ボタン」により表されることは、本願発明の「制御オブジェクトの第１のセット」が、「該ディスプレイ上に表示された
アイコン
アイコン
ＧＵＩ部品
ＧＵＩ部品
　
（オ）　引用発明の「テレビ」は、映像を出力する機器であるから、本願発明の「少なくとも１つの出力動作または機能を実行可能な出力コンポーネント」に相当する。
　よって、引用発明の「最上位メニュー２４０１」の外部機器として「テレビ」が含まれていることは、本願発明において「該複数のシステムコンポーネントのそれぞれのシステムコンポーネントは、少なくとも１つの出力動作または機能を実行可能な出力コンポーネントを含む」ことに相当する。
　
（カ）　（２）のまとめ
　上記（２）（ア）〜（オ）から、引用発明の「メニュー表示」が、「テレビ」、「ビデオ」、「エアコン」のボタンを含む「最上位メニュー２４０１」を備えることは、本願発明の「該グラフィカルユーザインターフェースは、制御オブジェクトの第１のセットであって、
該制御オブジェクトは、該メモリデバイス内に格納されたデータオブジェクトであり
アイコン
アイコン
該制御オブジェクトの第１のセットのうちの第１の制御オブジェクトは、共通属性を有するシステムコンポーネントのグループに基づいて、該複数のシステムコンポーネントのうちの１つよりも多くのシステムコンポーネントを含むシステムコンポーネントのグループの制御を統合するように実行可能である制御オプションを含み
「該グラフィカルユーザインターフェースは、制御オブジェクトの第１のセットであって
、該
ＧＵＩ部品
ＧＵＩ部品
、該
　
（３）　「該グラフィカルユーザインターフェースのコンポーネント制御部分」に関して
　
（ア）　引用発明の「メニュー表示」のうち、「テレビの基本操作パネル２４０２」、「ビデオの再生パネル２４０３」、「エアコンの設定パネル２４０４」は、例えば「テレビ」の「電源」ボタンを含む「パネル」であるから、本願発明の「該グラフィカルユーザインターフェースのコンポーネント制御
部分
領域
　
（イ）　引用発明において、「ユーザが最上位メニューのうち
「テレビ」を選択すると
「ミュート」ボタン
「電源」ボタン
「ビデオ」を選択すると
「電源」ボタン
「巻戻し」ボタン
「早送り」ボタン
「停止」ボタン
「再生」ボタン
「エアコン」を選択すると
「温度設定」ボタン
「運転設定」ボタン
「電源」ボタン２４０５
部分
アイコン
強調
アイコン
部分
領域
ＧＵＩ部品
選択
ＧＵＩ部品
領域
　
（ウ）　引用発明において、「ユーザが最上位メニューのうち
「テレビ」を選択するとテレビの基本操作パネル２４０２を表示し
「ビデオ」を選択するとビデオの再生パネル２４０３を表示し
「エアコン」を選択すると設定パネル２４０４を表示し
該ディスプレイに、起動信号をプロセッサへと送信させ、該プロセッサは、該メモリデバイスから少なくとも１つのシステムコンポーネントに対する該制御オプションを引き出すことにより、該起動信号を受信することに応答して該
該プロセッサは、
部分
部分
引き出された
アイコン
は、少
、該
領域
領域
該制
ＧＵＩ部品
　
（エ）　引用発明において、「設定パネル２４０４が表示された状態でユーザが「電源」ボタン２４０５を押すと」、メニュー表示部１９０４から機器制御信号送信部１９０５に送られる「操作信号の通知」は、「機器制御信号送信部１９０５は、メニュー表示部１９０４から
操作信号の通知を受け取ると、外部機器へ機器制御信号を送信
該プロセッサによって
一連の
　よって、引用発明において、例えば、エアコンの「設定パネル２４０４が表示された状態でユーザが「電源」ボタン２４０５を押すと、機器制御信号送信部１９０５にエアコンディショナーの電源の操作信号を通知」することは、本願発明の「該
引き出された
該プロセッサによって
一連の
該制
て実
なコ
　
（オ）　引用発明の「機器制御信号送信部１９０５は、メニュー表示部１９０４から操作信号の通知を受け取ると、
外部機器へ機器制御信号を送信し
エアコンディショナーに電源の制御信号を送信し
一連の
該プロセッサによって
該プロセッサに、
該コ
、実
、そ
　
（カ）　（３）のまとめ
　上記（３）（ア）〜（オ）から、引用発明は、本願発明の「該グラフィカルユーザインターフェースは」、「該グラフィカルユーザインターフェースのコンポーネント制御
部分
部分
アイコン
強調
アイコン
の部分
該ディスプレイに、起動信号をプロセッサへと送信させ、該プロセッサは、該メモリデバイスから少なくとも１つのシステムコンポーネントに対する該制御オプションを引き出すことにより、該起動信号を受信することに応答して該
該プロセッサは、
部分
の該部分内
引き出された
アイコン
引き出された
該プロセッサによって
一連の
一連の
該プロセッサによって
該プロセッサに、
部分
「該グラフィカルユーザインターフェースのコンポーネント制御
領域
領域
ＧＵＩ部品
選択
ＧＵＩ部品
領域
は、少
、該
領域
領域
該制
ＧＵＩ部品
該制
て実
なコ
該コ
、実
、そ
　
　したがって、本願発明と引用発明との一致点・相違点は次のとおりである。
　
＜一致点＞
「
制御装置
制御装置の制御手段
制御装置
、デ
制御装置
、該
　該グラフィカルユーザインターフェースは、
　制御オブジェクトの第１のセットであって
、該
ＧＵＩ部品
ＧＵＩ部品
、該
　該グラフィカルユーザインターフェースのコンポーネント制御
領域
領域
ＧＵＩ部品
選択
ＧＵＩ部品
領域
は、
、該
領域
領域
該制
ＧＵＩ部品
該制
て実
なコ
該コ
、実
、そ
　を備える、
制御手段
　
＜相違点１＞
　本願発明は、「プログラム」に係り、「
コンピュータ
コンピュータのメモリデバイスに格納されたプログラム
該コンピュータは、該メモリデバイスと、プロセッサと、
と
コンピュータ
ネットワークによって、
　
＜相違点２＞
　本願発明の「該グラフィカルユーザインターフェース」における「制御オブジェクトの第１のセット」は、「
該制御オブジェクトは、該メモリデバイス内に格納されたデータオブジェクトであり
アイコン
アイコン
該制御オブジェクトの第１のセットのうちの第１の制御オブジェクトは、共通属性を有するシステムコンポーネントのグループに基づいて、該複数のシステムコンポーネントのうちの１つよりも多くのシステムコンポーネントを含むシステムコンポーネントのグループの制御を統合するように実行可能である制御オプションを含み
　
＜相違点３＞
　本願発明の「該グラフィカルユーザインターフェース」は、「コンポーネント制御
部分
部分
アイコン
強調
アイコン
部分
該ディスプレイに、起動信号をプロセッサへと送信させ、該プロセッサは、該メモリデバイスから少なくとも１つのシステムコンポーネントに対する該制御オプションを引き出すことにより、該起動信号を受信することに応答して該
該プロセッサは、
部分
部分
引き出された
アイコン
該引き出された
該プロセッサによって
一連の
一連の
該プロセッサによって
該プロセッサに、
パネル
　
　
５．当審の判断
＜相違点１＞について
　「プロセッサ」と、「プログラムを格納したメモリデバイス」とを備える「コンピュータ」によって、処理装置を構成すること、及び、「ネットワークによって」、機器間を接続することは、いずれも周知技術である（当審の拒絶理由における＜引用文献４＞国際公開第２００３／４４７５６号（（１）１ページ２５−３１行「SUMMARY OF THE INVENTION　In accordance with these needs, ... PDAs. 」、（２）６０ページ１９−３０行「22. A hand-held device, comprising: a processor; ...the remote control software application.」、（３）１３ページ１８−２４行「TCP　TCP 536 ...conduit.」。訳は＜引用文献４のパテント・ファミリ＞特表２００５−５１０１６１号公報、（１）段落【０００５】「これらの必要性に応じて、本発明は、ユーザに対して動作モード情報を表示するように機能するリモートコントロールアプリケーション・ユーザ・インタフェースを有する、ハンドヘルド電子機器に向けられる。
ハンドヘルド電子機器のための代表的なプラットフォームは
コンピュータ
などの機器を含む
ハンドヘルド機器であって
プロセッサ
複数のソフトウエア・アプリケーションを格納するメモリとを備え
機器が、
標準のネットワーク・プロコトルを介して接続されると
　したがって、引用発明の「リモコン装置」を構成する際に、上記周知技術を採用することによって、「
コンピュータ
コンピュータのメモリデバイスに格納されたプログラム
該コンピュータは、該メモリデバイスと、プロセッサと、
と
コンピュータ
ネットワークによって、
　
＜相違点２＞について
　グラフィカルユーザインターフェース（ＧＵＩ）部品として、機器の機能や動作を表す「アイコン」を採用することは、周知技術である（＜上記引用文献４＞国際公開第２００３／４４７５６号、３３ページ１５−２６行「Control of Home Automation Devices　...an X10 device.」。訳は＜引用文献４のパテント・ファミリ＞特表２００５−５１０１６１号公報、段落【０１１８】「ホーム・オートメーション・機器の制御　遠隔制御アプリケーションは、一般に、ホーム・オートメーション・機器を含む、ＩＲまたはＲＦ通信を使用して制御できる任意の機器を制御することができる。
ホーム・オートメーション・機器の場合、ユーザは、これらの機器の機能および／または動作を表す異なるボタン画像を有することを望むものである
ボタン・アイコンのリストは、照明、カーテン、ブラインド、空調、暖房、プール・ヒータ、スパなどの機器のためのオン／オフおよび開放／閉鎖アイコンなどのアイテムを含むことができる
単なるボタンを象った画像を表示するようにしたが、例えば、アイコン
などの、いわゆるＧＵＩ（Graphical User Interface）を構成する他の画像を表示するようにしてもよい
　ＧＵＩとして画面表示される、「ボタン」や「アイコン」などの各種ＧＵＩ部品が、情報処理の実体としては、メモリデバイスに格納されたデータオブジェクトに外ならないことは、周知技術である（＜上記引用例＞引用例の上記３（３）の段落【００４２】「テレビ表示要素データ記憶要素２８１２は、
メニュー画面を構成するボタンやパネルなどのオブジェクト
の形状データである表示要素データを記憶している
　機器の制御において、ユーザによる操作の省力化などのために、共通属性を有する複数の機器を、グループ化して制御することは、周知技術である（＜上記引用文献４＞国際公開第２００３／４４７５６号、２５ページ３−１４行「Room Setup - Phase 2 - Generation of Macros　The remote control application ...devices available in a particular room.」。訳は＜引用文献４のパテント・ファミリ＞特表２００５−５１０１６１号公報、段落【００９２】「ルーム・セットアップ−段階２−マクロの生成　遠隔制御アプリケーションによっては、また、
共通のアクティビティに関するマクロ（単一のキーを押すことによって再生することができる、事前プログラムされたコマンド・アクションのシーケンス）
コマンドのシーケンスは、ホーム・シアター・システムでの場合であるなど、いくつかの機器をともにパワー・オン（およびパワー・オフ）であることができる
ユーザは、これらの機器のどれが、「ａｌｌ  ｏｎ」マクロに含まれるかを指示することができる
なぜなら、そのようなマクロは、一般に、特定のルーム内で利用可能な機器に関連付けられるからである
一括オフボタン１６ｂによって
災害時に発熱、発火の可能性が考えられる電気機器については、一括オフボタン１６ｂによる制御対象機器として設定しておけば、必要な電気機器をオフ制御することができる
接続される電気機器の種類（例えば、電気調理器、アイロンやストーブ等の加熱機器）を登録することもできる。このような登録をした場合、一括オフボタン１６ｂを押した際に、自動的に、登録されている電気機器の種類の内からホストユニット１００が制御を要する機器を選択し、オフ制御する構成としてもよい
従来の技術
ネットワークでつながれた機器を機器の位置関係からグルーピングすることが行われている
この各部屋ごとにグルーピングするという機能によれば
テレビジョン受信機及び映像記録再生機器が複数台になる場合、或いは、複数の被制御機器２００を同機能で操作する場合が考えられ
被制御機器２００をグループ化して
操作キーにて、操作する対象グループを選択し
同じ種類の被制御機器が
　よって、引用発明において、「データオブジェクト」及び「アイコン」に係る上記周知技術を採用すると共に、共通属性を有する複数の機器のグループ化制御に係る上記周知技術を適用することで、引用発明の「最上位メニュー２４０１」に含まれる、「テレビ」等のボタン（本願発明の「制御オブジェクト」に対応する。）をグループ化制御に対応するものとして、この際、サブメニューに表示される、例えば、「テレビ」の基本操作パネル２４０２における「電源」等のボタン（本願発明の「制御オプション」に相当する。）もグループ化制御に対応したものとすることによって、「該グラフィカルユーザインターフェース」における、「制御オブジェクトの第１のセット」は、「
該制御オブジェクトは、該メモリデバイス内に格納されたデータオブジェクトであり
アイコン
アイコン
該制御オブジェクトの第１のセットのうちの第１の制御オブジェクトは、共通属性を有するシステムコンポーネントのグループに基づいて、該複数のシステムコンポーネントのうちの１つよりも多くのシステムコンポーネントを含むシステムコンポーネントのグループの制御を統合するように実行可能である制御オプションを含み
　
＜相違点３＞について
　上記「＜相違点１＞について」記載のように、プロセッサとメモリデバイスとを備えるコンピュータによって、処理装置を構成することは、周知技術である。
　上記「＜相違点２＞について」記載のように、ＧＵＩ部品として、「アイコン」を用いることは、周知技術である。また、機器の制御において、共通属性を有する複数の機器を、グループ化して制御することは、周知技術であり、このような場合に、複数の機器に対するコマンドが「一連のコマンド」となることは、明らかである。
　選択された各種ＧＵＩ部品を、「強調」表示することは、周知技術である（＜上記引用例＞引用例の図３４、上記３（３）の摘記の段落【００４２】「
表示要素データは、その表示画面での表示例を図３４に示すように、メニュー部品の選択状態によって異なる形状データを有する
例えば、ボタン形状Ａ
はボタンが選択された状態を示すものであり
　ＧＵＩによる表示画面の態様として、機器の選択に係る「部分」と、選択された機器の操作に係る「部分」とを、同時に表示する態様が、周知技術である。（当審の拒絶理由における＜引用文献２＞特開２００３−２０９８９３号公報、図１０−１１、段落【００５１】「以下の説明において、使用者がネットワークと相互動作し、そのネットワークに連結された多数の家電機器を制御することを助けるために、使用者とホームネットワーク間の
基本的なインタフェースとして作用する
セッション管理者(session manager) と称される
使用者が機器リンクページ７１０から特定の家電機器ボタン７１２を選択する時、セッション管理者は選択された家電機器の最上位レベルホームページがセッションページ７０２に含まれたフレーム内でディスプレーされるようにする
図１０に示されたように、
父親のTVに対する機器ボタン７１２を選択する時
１つのフレーム７０６内に該当家電機器に対する最上位レベルホームページ８０４をディスプレーする
各選択された家電機器の該当ホームページ８０４
にディスプレーされたオプションを介して
操作しようとする音響機器のタグを選択することにより、所望の音響機器の操作ボタンを表示させることができる
図１２は
ビデオ（１）７０３の操作のためのウィンドウ１２０８が開く
ビデオ（１）のアイコン１２０１は選択された状態、すなわちこの図ではハッチングが施された状態になる
図１５は
テレビのアイコン１５０２は、選択された状態すなわちこの図ではハッチングが施された状態になっている
テレビの音量調節のためのウィンドウ１３０９と同様の役割をなすウィンドウ１５０８と、テレビのチャンネルを選ぶためのウィンドウ１５０９とが開いている
あるいはユーザの所定の動作が行われたときなど
それと通信する全てのＡＶ機器の電源を一度に切ることができるため、ユーザは煩雑な操作をすることなく、全てのＡＶ機器の電源の一括管理を行うことができる
　さらに、引用発明においても、最上位メニューの下位の「サブメニュー」の表示についてであるが、＜上記引用例＞引用例の上記３（１）の段落【００１４】「メニュー「テレビ」は、「基本操作」、「子画面」及び「調整」の３つのサブメニューをもつ。各サブメニューを表示する場合の構成要素が〈パネル〉として定義されている。例えば基本操作パネルは、チャンネルアップボタンなどの６種のボタンから構成されている。この基本操作パネルをディスプレイ１２０に表示すると、例えば図４に示すようになる。」の記載、および、図４に記載されるように、ＧＵＩによる表示画面の態様として、パネルの選択に係る「部分」と、選択されたパネルの操作に係る「部分」とを、同時に表示する態様を備えることを考慮すると、引用発明において、ＧＵＩによる表示画面の態様として、機器（コンポーネント）を選択するための「最上位メニュー」（２４０１）と、選択された機器（コンポーネント）の操作オプションを表示する「パネル」（２４０２〜２４０４）とを、切替えて表示する態様に替えて、機器の選択に係る部分と、選択された機器の操作に係る部分とを、同時に表示する、周知技術の態様を採用すると共に、この際、ＧＵＩ部品としての「アイコン」と、選択されたＧＵＩ部品の「強調」表示を採用すること、及び、引用発明において、周知技術の「プロセッサ」と「メモリデバイス」とを備えるコンピュータによって、処理装置を構成する場合に、「液晶パネル上にタッチパネルが重ねられてな」る「メニュー表示部１９０４」からの、「操作信号の通知」を、「プロセッサ」に対する「起動信号」として構成し、「プロセッサ」が「ディスプレイ」等のインタフェースとやり取りして、必要なデータがあれば「メモリデバイス」から「引き出す」ような通常の構成を採用することによって、「該グラフィカルユーザインターフェース」は、「コンポーネント制御
部分
部分
アイコン
強調
アイコン
部分
該ディスプレイに、起動信号をプロセッサへと送信させ、該プロセッサは、該メモリデバイスから少なくとも１つのシステムコンポーネントに対する該制御オプションを引き出すことにより、該起動信号を受信することに応答して該
該プロセッサは、
部分
部分
引き出された
アイコン
該引き出された
該プロセッサによって
一連の
一連の
該プロセッサによっ
該プロセッサに、
　
　さらに、本願発明の効果も、引用発明及び周知技術に基づいて、当業者が予測し得る範囲内のものである。
　
　
６．むすび
　したがって、本願発明は、引用発明、及び、周知技術に基づいて、当業者が容易に発明をすることができたものであるから、本願は、特許法第２９条第２項の規定により特許を受けることができない。
　よって、結論のとおり審決する。